(57)【要約】  水廻りユニット（１０）は、便器（２０）と、洗面台（３０）と、シャワールーム（７０）と、便器（２０）、洗面台（３０）、及び、シャワールーム（７０）の少なくとも１つを使用するユーザの生体情報を計測するセンサ（９０）と、計測された生体情報に基づいてユーザへの提示を行う提示装置とを備える。
2020189018.tif 000002
【特許請求の範囲】
【請求項１】
便器と、
洗面台と、
シャワールームと、
前記便器、前記洗面台、及び、前記シャワールームの少なくとも１つを使用するユーザの生体情報を計測するセンサと、
計測された前記生体情報に基づいて前記ユーザへの提示を行う提示装置とを備える
水廻りユニット。
【請求項２】
前記提示装置には、発光態様により前記ユーザへの提示を行う発光装置が含まれる
請求項１に記載の水廻りユニット。
【請求項３】
前記発光装置は、発光する構造パネルである
請求項２に記載の水廻りユニット。
【請求項４】
さらに、壁面収納庫を備え、
前記構造パネルは、前記壁面収納庫の扉である
請求項３に記載の水廻りユニット。
【請求項５】
前記提示装置には、画像の表示により前記ユーザへの提示を行う表示装置が含まれる
請求項１〜４のいずれか１項に記載の水廻りユニット。
【請求項６】
前記表示装置は、前記洗面台の鏡に前記画像を表示する
請求項５に記載の水廻りユニット。
【請求項７】
前記表示装置は、計測された前記生体情報に基づいて、前記ユーザへ商品の購入を提案するための前記画像を表示する
請求項５または６に記載の水廻りユニット。
【請求項８】
前記表示装置は、計測された前記生体情報に基づいて、前記ユーザへサービスの提供を受けることを提案するための前記画像を表示する
請求項５〜７のいずれか１項に記載の水廻りユニット。
【請求項９】
前記表示装置は、計測された前記生体情報を示す前記画像を表示する
請求項５〜８のいずれか１項に記載の水廻りユニット。
【請求項１０】
前記表示装置は、計測された前記生体情報に基づいて、前記ユーザへの生活習慣に関するアドバイスを行うための前記画像を表示する
請求項５〜９のいずれか１項に記載の水廻りユニット。
【請求項１１】
前記表示装置は、計測された前記生体情報に基づいて、医療機関を予約するための前記画像を表示する
請求項５〜１０のいずれか１項に記載の水廻りユニット。
【請求項１２】
前記提示装置には、
発光態様により前記ユーザへの提示を行う発光装置と、
画像の表示により前記ユーザへの提示を行う表示装置とが含まれ、
前記発光装置及び前記表示装置は連動する
請求項１に記載の水廻りユニット。
【請求項１３】
前記発光装置は、発光する構造パネルであり、
前記表示装置は、前記洗面台の鏡に前記画像を表示し、
前記構造パネル、及び、前記洗面台の鏡は対向配置される
請求項１２に記載の水廻りユニット。
【請求項１４】
さらに、サーバ装置に前記生体情報を送信するための通信部を備える
請求項１〜１３のいずれか１項に記載の水廻りユニット。
【発明の詳細な説明】
【技術分野】
【０００１】
本発明は、水廻りユニットに関する。
【背景技術】
【０００２】
一般的に、住宅等の建物は、建築現場で建てられる。例えば、木造住宅の場合、建築現場において、コンクリート基礎の上に梁や柱等の建築材を用いて軸組み等を行い、その後、水廻り設備や電気設備等の住宅設備（設備機器）が設置される。【０００３】
住宅設備は、建築現場で設置されると、品質にばらつきが生じたりコストが高くなったりする。そこで、従来、浴室（ユニットバス）やトイレ等からなる設備ユニットを工場にて予め生産し、この設備ユニットを建築現場に運搬して、その他の玄関や居室等を在来工法によって現場施工する技術が知られている（例えば、特許文献１参照）。
【先行技術文献】
【特許文献】
【０００４】
【特許文献１】特開平２−２３２４４５号公報
【発明の概要】
【発明が解決しようとする課題】
【０００５】
ところで、近年、疾病の予防、及び、健康維持に関心を持つ人が増えており、住宅などの建物においてもユーザの健康維持に対する対策が求められている。【０００６】
本発明は、ユーザの健康状態を管理することができる水廻りユニットを提供する。
【課題を解決するための手段】
【０００７】
本発明の一態様に係る水廻りユニットは、便器と、洗面台と、シャワールームと、前記便器、前記洗面台、及び、前記シャワールームの少なくとも１つを使用するユーザの生体情報を計測するセンサと、計測された前記生体情報に基づいて前記ユーザへの提示を行う提示装置とを備える。
【発明の効果】
【０００８】
本発明の一態様に係る水廻りユニットは、ユーザの健康状態を管理することができる。
【図面の簡単な説明】
【０００９】
【図１】図１は、実施の形態に係る水廻りユニットの内部構造を示す第１の図である。
【図２】図２は、実施の形態に係る水廻りユニットの内部構造を示す第２の図である。
【図３】図３は、実施の形態に係る水廻りユニットの内部の上面図である。
【図４】図４は、実施の形態に係る水廻りユニットの内部の側面図である。
【図５】図５は、実施の形態に係る水廻りユニットの機能構成を示すブロック図である。
【図６】図６は、構造パネルを用いた提示制御のフローチャートである。
【図７】図７は、ユーザが健康であると判定された場合の構造パネルの発光態様を示す図である。
【図８】図８は、ユーザが健康でないと判定された場合の構造パネルの発光態様を示す図である。
【図９】図９は、ミラー装置を用いた提示制御のフローチャートである。
【図１０】図１０は、第一表示画面の一例を示す図である。
【図１１】図１１は、第二表示画面の一例を示す図である。
【図１２】図１２は、医療機関の一覧画面の一例を示す図である。
【図１３】図１３は、第二表示画面の別の一例を示す図である。
【図１４】図１４は、第二表示画面のさらに別の一例を示す図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［全体構成］
以下、実施の形態に係る水廻りユニットの全体構成について説明する。図１及び図２は、水廻りユニットの内部構造を示す図である。図３は、水廻りユニットの内部の上面図であり、図４は、水廻りユニットの内部の側面図である。
【００１３】
図１〜図４に示される水回りユニット１０は、戸建住宅、集合住宅、ホテル、養護施設などの建物（建築物）の一部を構成するものであり、例えば、建築現場以外で予め組み立てられてのユニット化された構造体である。水廻りユニット１０は、システムキッチン以外の水廻り設備をユニット化したものであり、壁部、天井部、及び、床部によって構成される本体部の内側空間に、便器２０と、洗面台３０と、ミラー装置４０と、壁面収納庫５０と、照明装置６０と、シャワールーム７０とを備える。図示されないが、水廻りユニット１０は、浴槽を備えてもよい。
【００１４】
便器２０は、ユーザが用を足すために使用する器具であり、メイン空間６１に設置される。つまり、メイン空間６１の一部はトイレとして使用される。便器２０は、例えば、洋式の便器であり、温水洗浄機能を有する便座２１を有する。なお、メイン空間６１のうち便器２０が設けられる空間は、トイレとして仕切られていてもよい。
【００１５】
また、便器が有する便座２１には、脈波センサ９１が埋め込まれている。脈波センサ９１は、例えば、光電脈波法を用いて便座２１に座ったユーザの脈波を計測する。光電脈波法は、赤外光または赤色光（反射型の場合は緑色光も使用可能）を体表面に照射し、体内を透過する光の変化量または体内で反射する光の変化量を、血流量の変化としてとらえる脈波の計測方法である。脈波センサ９１によって出力される脈波データを解析することで、心拍数（脈拍数）、または、血圧などを推定することができる。また、脈拍変動に基づいて居住者のストレスレベルを計測することもできる。
【００１６】
その他に、便座２１には、体脂肪センサ９３が埋め込まれている。体脂肪センサ９３は、例えば、ユーザの体内に微弱な電流を流してこれを計測する生体インピーダンス法を用いてユーザの体脂肪率を計測する。なお、体脂肪センサ２３は、例えば、洗面台３０の周囲の床、または、便器２０の周囲の床に設けられていてもよい。
【００１７】
洗面台３０は、居住者が洗面等に使用する水道設備である。洗面台３０が設けられている壁の洗面台３０よりも上方には、ミラー装置４０が設けられている。洗面台３０の下部には、洗面台３０の下方の床に向けて光を発する間接照明装置３１が設けられる。
【００１８】
ミラー装置４０は、通常は鏡として機能するが、表示部４４が起動すると画像の表示によりユーザへの提示を行う表示装置として機能する。また、ミラー装置４０は、ミラー装置４０の上方を照らす上側間接照明装置４１、及び、ミラー装置４０の下方を照らす下側間接照明装置４２を備え、これら上側間接照明４１および下側間接照明４２はミラー装置４０に内蔵されていてもよいし、ミラー装置４０の周辺に設置されていてもよい。上側間接照明装置４１及び下側間接照明装置４２の点灯及び消灯は、例えば、ミラー装置４０が備えるタッチパネル４５への操作に基づいて行われるが、ミラー装置４０が備えるマイク（図示せず）への音声入力に基づいて行われてもよい。
【００１９】
洗面台３０の前方の床には、体重センサ９２が埋め込まれている。体重センサ９２は、圧力センサなどによって実現される。
【００２０】
壁面収納庫５０は、ミラー装置４０と対向する位置に設けられる収納庫である。壁面収納庫５０の扉５１は、発光する構造パネル８０によって実現される。構造パネル８０の表面には、木目調の図柄層が取り付けられている。構造パネル８０は、通常は、木目調の図柄が設けられた扉５１として機能し、外部から構造パネル８０は視認できない。しかしながら、構造パネル８０が有する光源が発光すると、光源が発する光は、図柄層を通じて外部に取り出される。このような構造パネル８０は、ユーザに発光態様によりユーザへの提示を行う発光装置として機能する。
【００２１】
なお、図１及び図３では、壁面収納庫５０の１つの扉５１のみが構造パネル８０を含んでいるように記載されているが、壁面収納庫５０の全ての扉のそれぞれに構造パネル８０が含まれてもよい。また、構造パネル８０が壁面収納庫５０の扉５１に含まれることは必須ではなく、構造パネル８０は、壁部、天井部、及び、床部のいずれかに埋め込まれていてもよい。
【００２２】
照明装置６０は、便器及び洗面台３０の周辺の空間であるメイン空間６１を照明する。照明装置６０は、例えば、メイン空間６１の上方の天井に設置され、白色光を発する。照明装置６０は、例えば、ＬＥＤ（Ｌｉｇｈｔ  Ｅｍｉｔｔｉｎｇ  Ｄｉｏｄｅ）などの発光素子によって実現される。照明装置６０の点灯及び消灯は、例えば、水廻りユニット１０の壁に設けられた壁スイッチ（図示せず）への操作によって行われるが、ミラー装置４０が備えるタッチパネル４５への操作に基づいて行われてもよいし、後述の人感センサの検知結果に基づいて行われてもよい。また、照明装置６０は、調光機能及び調色機能の少なくとも一方を有していてもよい。
【００２３】
シャワールーム７０は、ユーザが水またはお湯を浴びるための空間であり、シャワー７１が設けられる。シャワールーム７０とメイン空間６１とは、透光性を有するスライドドア７２によって仕切られる。シャワールーム７０の壁の上方には、天井や壁に向けて光を発する間接照明装置７３が設けられる。また、シャワールーム７０の天井には、スピーカ（図示せず）が設置されている。タッチパネル４５あるいは音声入力によってユーザが例えばリラックスモードを選択したときはシャワー７１を浴びながらリラックス空間を演出する音楽または音がスピーカーから流れ、合わせて前述の上側間接照明装置４１または下側間接照明装置４２が空間演出を行う。
【００２４】
また、シャワールーム７０には、シャワー７１に代えて、または、シャワー７１に加えて、イス型シャワー７４が設けられてもよい。イス型シャワー７４は、例えば、背もたれのあるイス型であり、両側の腕置きの位置に、温水が吹き出す複数の穴を有する棒状水吹き出し部が設けられている。また、図示されないが、シャワールーム７０には、バスタブが設けられていてもよい。
【００２５】
［機能構成］
水廻りユニット１０は、ユーザの生体情報を計測するセンサ（例えば、脈波センサ９１、体重センサ９２、及び、体脂肪センサ９３など）を備え、これらのセンサによって計測された生体情報に基づいてユーザへの提示を行うことができる。このような提示を行う提示装置は、ミラー装置４０及び構造パネル８０である。以下、このような提示に関連する水廻りユニット１０の機能構成について説明する。図５は、水廻りユニット１０の機能構成を示すブロック図である。
【００２６】
図５に示されるように、水廻りユニット１０は、ミラー装置４０と、構造パネル８０と、センサ９０と、制御装置１００（図１〜図４で図示せず）と、人感センサ１１０（図１〜図４で図示せず）とを備える。また、図５には、サーバ装置２００も図示されている。
【００２７】
ミラー装置４０は、表示装置の一例であり、センサ９０によって計測された生体情報に基づいて画像の表示を行う表示装置である。ミラー装置４０は、ユーザの操作を受け付けるユーザインターフェース装置としても機能する。水廻りユニット１０においては、ミラー装置４０は、制御装置１００の指令にしたがって生体情報に基づく画像の表示を行うが、センサ９０から直接生体情報を取得して画像の表示を行ってもよい。ミラー装置４０は、上側間接照明装置４１、下側間接照明装置４２、カメラ４３、表示部４４、タッチパネル４５、ミラー制御部４６、及び、記憶部４７を備える。
【００２８】
カメラ４３は、ミラー装置４０の前方の映像を撮影する。撮影された映像が左右反転されて表示部４４に表示されることで、ミラー装置４０の鏡としての機能が実現される。このように、ミラー装置４０は、例えば、デジタルミラーである。
【００２９】
表示部４４は、画像を表示する。例えば、表示部４４は、ミラー制御部４６の制御に基づいて、カメラ４３によって撮影された画像を左右反転して表示することにより、ミラー装置４０をミラーとして機能させる。また、表示部４４は、表示部４４の少なくとも一部の領域（例えば、洗面台３０の直上の一部の領域）に生体情報に基づく情報を示す画像を表示する。表示部４４は、液晶パネル、または、有機ＥＬ（Ｅｌｅｃｔｒｏ  ｌｕｍｉｎｅｓｃｅｎｃｅ）パネルなどの表示パネルによって実現される。
【００３０】
タッチパネル４５は、操作受付部の一例であり、表示部４４に重ね合わされ、ユーザの操作を受け付ける。タッチパネル４５は、例えば、表示部４４による表示を開始するためのユーザの操作を受け付ける。なお、ミラー装置４０は、ミラー装置４０が備えるマイク（図示せず）によってユーザの音声入力を受け付け、ミラー制御部４６は、音声入力に基づいてユーザを識別することも可能である。
【００３１】
ミラー制御部４６は、上側間接照明装置４１及び下側間接照明装置４２の制御（照明制御）、並びに、表示部４４への画像の表示制御を行う。ミラー制御部４６は、例えば、マイクロコンピュータによって実現されるが、プロセッサまたは専用回路によって実現されてもよい。
【００３２】
記憶部４７は、ミラー制御部４６が照明制御及び表示制御を行うために実行するプログラムなどが記憶される記憶装置である。記憶部４７は、例えば、半導体メモリによって実現される。
【００３３】
構造パネル８０は、建物または建具などに使用されるパネル状の部材である。構造パネル８０は、発光装置の一例であり、センサ９０によって計測された生体情報に基づいて発光態様が変化する。水廻りユニット１０においては、構造パネル８０の発光態様は、制御装置１００の指令にしたがって変更されるが、構造パネル８０がセンサ９０から直接生体情報を取得することで変更されてもよい。構造パネル８０は、具体的には、光源８１、パネル制御部８２、及び、記憶部８３を備える。
【００３４】
光源８１は、例えば、基板上に複数のＬＥＤ素子が実装された構造を有する発光モジュールである。複数のＬＥＤ素子のそれぞれは、赤色ＬＥＤチップ、青色ＬＥＤチップ、及び、緑色ＬＥＤチップを含み、各ＬＥＤチップの輝度が独立して制御可能である。これにより、光源８１の発光色の変更が実現される。なお、光源８１は、ＬＥＤ以外の発光素子（例えば、有機ＥＬなど）によって実現されてもよい。
【００３５】
パネル制御部８２は、光源８１の発光制御を行う。パネル制御部８２は、具体的には、ユーザの生体情報（より詳細には、ユーザの生体情報に基づいて制御装置１００から送信される指令）に基づいてユーザの体調に変化があったと判定される場合に、光源８１の発光態様を変化させる。パネル制御部８２は、例えば、マイクロコンピュータによって実現されるが、プロセッサまたは専用回路によって実現されてもよい。
【００３６】
記憶部８３は、パネル制御部８２が発光制御を行うために実行するプログラムなどが記憶される記憶装置である。記憶部８３は、例えば、半導体メモリによって実現される。
【００３７】
センサ９０は、ユーザの生体情報を計測する。上述のように、センサ９０は、具体的には、脈波（及び脈波に基づいて算出される血圧及び心拍数）を生体情報として計測する脈波センサ９１、体重を生体情報として計測する体重センサ９２、または、体脂肪を生体情報として計測する体脂肪センサ９３などである。
【００３８】
センサ９０は、これらのセンサに限定されず、例えば、血圧センサ、心拍センサ、カメラ、体温センサ、脳波センサ、唾液センサ、発汗センサ、呼吸センサ、体動センサ、血流センサ、血糖値センサ、検尿センサなどであってもよい。このようなセンサ９０のそれぞれは、ユーザに接触する接触型のセンサであってもよいし、ユーザに接触しない非接触型のセンサであってもよい。また、センサ９０は、水廻りユニット１０内のどこかに設置されればよく、例えば、便器２０、洗面台３０、メイン空間６１、及び、シャワールーム７０のいずれかに設置される。生体情報は、例えば、血圧、心拍数、瞬目・視線、眼球運動、瞳孔変動、体温、脳波、唾液量、発汗量、呼吸量、体動量、血流量、血糖値、ｐＨ、尿酸値などである。生体情報には、ユーザの便器２０（トイレ）の使用回数、及び、ユーザの身体能力（筋力など）が含まれてもよい。
【００３９】
制御装置１００は、センサ９０から生体情報を取得し、取得した生体情報に基づいてミラー装置４０及び構造パネル８０を制御する。制御装置１００は、制御部１０１と、記憶部１０２と、通信部１０３とを備える。
【００４０】
制御部１０１は、センサ９０から生体情報を取得し、取得した生体情報に基づく指令を送信することにより、ミラー装置４０及び構造パネル８０の制御（つまり、情報の提示制御）を行う。制御部１０１は、例えば、マイクロコンピュータによって実現されるが、プロセッサまたは専用回路によって実現されてもよい。
【００４１】
記憶部１０２は、制御部１０１が提示制御を行うために実行するプログラム、及び、提示制御を行うための各種情報などが記憶される記憶装置である。記憶部１０２は、例えば、半導体メモリによって実現される。
【００４２】
通信部１０３は、制御装置１００が、インターネットなどの広域通信ネットワーク１２０を介してサーバ装置２００と通信を行うための通信回路である。通信部１０３が行う通信は、有線通信であってもよいし無線通信であってもよい。通信部１０３が行う通信の通信規格についても特に限定されない。
【００４３】
人感センサ１１０は、例えば、水廻りユニット１０の入り口付近に設置され、ユーザが水廻りユニット１０内に入ったことを検知するセンサである。人感センサ１１０は、ユーザの体から発せられる赤外線を検知する焦電センサであるが、超音波または可視光を用いたセンサであってもよい。人感センサ１１０の検知結果は、制御装置１００に送信される。なお、人感センサ１１０の設置位置は、特に限定されない。人感センサ１１０は、例えば、構造パネル８０の周辺に設置される。
【００４４】
［構造パネルを用いた提示制御］
次に、構造パネル８０を用いた提示制御について説明する。図６は、構造パネル８０を用いた提示制御のフローチャートである。
【００４５】
制御装置１００の制御部１０１は、センサ９０がユーザ生体情報を計測するごとに、計測された生体情報を取得して記憶部１０２に蓄積する（Ｓ１１）。上述のように、水廻りユニット１０は、ユーザが意識しなくても、ユーザが便器２０または洗面台３０を使用すると自動的に生体情報を計測する。制御部１０１は、このように計測された生体情報を記憶部１０２に蓄積する。
【００４６】
ユーザが水廻りユニット１０に侵入すると、人感センサ１１０はこれを検知する（Ｓ１２）。制御部１０１は、ユーザが検知されたことを示す検知結果を人感センサ１１０から取得すると、これをトリガとして、直近の生体情報の計測値を用いてユーザが健康であるか否かの判定を行う（Ｓ１３）。制御部１０１は、例えば、直近の生体情報の計測値と、過去の生体情報の計測値との比較を行う。過去の生体情報は、より具体的には、直近の所定期間（例えば、１週間）において計測された生体情報の平均値である。
【００４７】
制御部１０１は、直近の計測値と過去の平均値との差が所定値未満であり、ユーザが健康であると判定すると（Ｓ１３でＹｅｓ）、構造パネル８０の光源８１を電球色（第一態様の一例）で発光させる（Ｓ１４）。図７は、ユーザが健康であると判定された場合の構造パネル８０の発光態様を示す図である。制御部１０１は、具体的には、構造パネル８０の光源８１を電球色で発光させるための指令をパネル制御部８２に送信し、パネル制御部８２は、受信した指令にしたがって光源８１を発光させる。
【００４８】
一方、制御部１０１は、直近の計測値と過去の平均値との差が所定値以上であり、ユーザが健康でないかバイタル値が異常であると判定すると（Ｓ１３でＮｏ）、構造パネル８０の光源８１を電球色と異なる昼白色（第二態様の一例）で発光させる（Ｓ１５）。図８は、ユーザが健康でないと判定された場合の構造パネル８０の発光態様を示す図である。制御部１０１は、具体的には、構造パネル８０の光源８１を昼白色で発光させるための指令をパネル制御部８２に送信し、パネル制御部８２は、受信した指令にしたがって光源８１を発光させる。
【００４９】
以上説明したような構造パネル８０を用いた提示制御によれば、健康であると判定されるユーザが水廻りユニット１０に侵入すると、構造パネル８０は、電球色（第一態様）で発光開始する。健康でないと判定されるユーザが水廻りユニット１０に侵入すると、構造パネル８０は、昼白色（第二態様）で発光開始する。したがって、ユーザは、構造パネルの発光態様により体調の異常を把握することができる。
【００５０】
上述のように生体情報の計測はユーザから計測を意図した操作等を受け付けずに行われ、発光態様の変化もユーザから操作等を受け付けずに行われる。つまり、ユーザは、水廻りユニット１０が設けられた建物で普通に生活していれば、健康状態（体調）の悪化を示す提示を受けることができ、これにより体調の異常に気付くことができる。
【００５１】
なお、発光態様の変化は、発光色の変更、点滅（明滅）周期の変更、及び、明るさの変更などの少なくとも１つ以上を組み合わせて行われればよい。また、発光態様の変化は、文字情報、及び、画像情報などの詳細情報を含まないが、含んでもよい。例えば、構造パネル８０は、光源８１が有するＬＥＤチップを選択的に発光させることなどにより、ミラー装置４０の表示部４４よりも解像度の粗い画像（模様など）を表示することができ、発光態様の変化は、このような画像の変化により実現されてもよい。
【００５２】
また、ユーザが健康であるか否かの判定が過去の生体情報との比較によって行われることは必須ではない。例えば、直近の生体情報の計測値が万人に共通の所定範囲（例えば、健康診断などで用いられる一般に正常とされる血圧値の範囲など）内であるか否かに基づいて行われてもよい。生体情報のうち個人差が大きいものは、過去の生体情報が比較に用いられ、生体情報のうち個人差が小さいものは、万人に共通の所定範囲が比較に用いられればよい。つまり、制御部１０１は、生体情報の種類に応じて判定基準を変更してもよい。
【００５３】
また、センサ９０として、脈波センサ９１、体重センサ９２、及び、体脂肪センサ９３の３種類のセンサが設置されているため、互いに異なる複数種類の生体情報のそれぞれが日々記憶部１０２に蓄積される。このような場合、例えば、複数種類の生体情報の直近の計測値のうち少なくとも１つが異常であると判定された場合に発光態様が変更される。
【００５４】
以上、構造パネル８０を用いて発光態様に基づく提示を行う例について説明したが、このような提示は、構造パネル８０以外の他の発光装置によって行われてもよい。例えば、発光態様に基づく提示は、間接照明装置３１、上側間接照明装置４１、下側間接照明装置４２、照明装置６０、または、間接照明装置７３などの照明装置によって行われてもよい。
【００５５】
［ミラー装置を用いた提示制御］
次に、ミラー装置４０を用いた提示制御について説明する。図９は、ミラー装置４０を用いた提示制御のフローチャートである。
【００５６】
制御装置１００の制御部１０１は、センサ９０がユーザ生体情報を計測するごとに、計測された生体情報を取得して記憶部１０２に蓄積する（Ｓ２１）。上述のように、水廻りユニット１０は、ユーザが意識しなくても、ユーザが便器２０または洗面台３０を使用すると自動的に生体情報を計測する。制御部１０１は、このように計測された生体情報を記憶部１０２に蓄積する。
【００５７】
ミラー装置４０のタッチパネル４５がユーザの所定の操作（例えば、タップ操作）を受け付けると（Ｓ２２）、ミラー制御部４６は、制御装置１００の制御部１０１に所定の操作が行われたことを通知する。
【００５８】
制御部１０１は、ミラー制御部４６から通知を受けると、直近の生体情報の計測値を用いてユーザが健康であるか否かの判定を行う（Ｓ２３）。ここでの判定方法は、構造パネルを用いた提示制御と同様である。
【００５９】
制御部１０１は、ユーザが健康である（言い換えれば、ユーザの体調が正常である）と判定すると（Ｓ２３でＹｅｓ）、表示部４４に第一表示画面を表示させる（Ｓ２４）。制御部１０１は、具体的には、第一表示画面を表示させるための指令をミラー制御部４６に送信し、ミラー制御部４６は、受信した指令にしたがって表示部４４に第一表示画面を表示させる。図１０は、第一表示画面の一例を示す図である。
【００６０】
図１０に示されるように、第一表示画面には、例えば、直近の所定期間の生体情報を示す画像が表示される。図１０の例では、直近の一週間の血圧値が折れ線グラフで表示されている。また、ユーザが健康であると判定されたことを示す文字情報も表示されている。
【００６１】
一方、制御部１０１は、ユーザが健康でない（言い換えれば、ユーザの体調が異常である）と判定すると（Ｓ２３でＮｏ）、表示部４４に第二表示画面を表示させる（Ｓ２５）。制御部１０１は、具体的には、第二表示画面を表示させるための指令をミラー制御部４６に送信し、ミラー制御部４６は、受信した指令にしたがって表示部４４に第二の表示画面を表示させる。図１１は、第二表示画面の一例を示す図である。
【００６２】
図１１に示されるように、第二表示画面には、例えば、直近の所定期間の生体情報を示す画像が表示される。図１１の例では、直近の一週間の血圧値が折れ線グラフで表示されている。また、ユーザが健康でないと判定されたことを示す文字情報も表示されている。この文字情報は、医療機関の受診を勧める旨の情報を含む。つまり、図１１の第二表示画面は、ユーザへサービスの提供を受けることを提案するための画像である。
【００６３】
ここで、ユーザは、図１１の第二表示画面において、「近隣の医療機関を表示する」と記載された領域をタップ操作することにより、水廻りユニット１０が設置された建物の近辺の医療機関の一覧画面を表示することができる。図１２は、医療機関の一覧画面の一例を示す図である。
【００６４】
例えば、制御部１０１は、通信部１０３を用いて、記憶部１０２にあらかじめ記憶された水廻りユニット１０の設置位置情報（具体的には、水廻りユニット１０が設置された建物の緯度及び経度情報、住所情報など）を、ＷＥＢ検索サービスを提供するサーバ装置２００ａに送信する。これにより、制御部１０１は、水廻りユニット１０が設置された建物の近辺の医療機関の情報をサーバ装置２００ａから取得し、図１２のような一覧画面を表示部４４に表示することができる。
【００６５】
また、ユーザによって「地図を表示」の部分がタップ操作されれば、対象の医療機関の周辺地図が表示部４４に表示される。このような周辺地図の地図情報は、例えば、ＷＥＢ検索サービスを提供するサーバ装置２００ａから提供される。
【００６６】
また、図１２の一覧画面が表示されているときに、ユーザによって医療機関の選択操作及び予約操作が行われると、制御部１０１は、選択された医療機関が使用するサーバ装置２００ｂ（サーバ装置ではなく、パーソナルコンピュータなどの情報端末であってもよい）に、当該医療機関を予約するための予約要求情報と、記憶部１０２に蓄積されたユーザの生体情報とを送信する。
【００６７】
このようにユーザの生体情報が事前に提供されれば、ユーザがその後、選択した医療機関を受診する際に、当該医療機関に属する医師は、計測された生体情報を考慮して診断を行うことができる。つまり、水廻りユニット１０は、医師の診断を支援することができる。
【００６８】
なお、第二表示画面がユーザへサービスの提供を受けることを提案するための画像であることは必須ではない。第二表示画面は、ユーザへ商品の購入を提案するための画像であってもよい。図１３は、このような第二表示画面の別の一例を示す図である。
【００６９】
図１３の第二表示画面は、健康でないと判定される根拠となった生体情報の改善が見込める商品の購入を勧める文字情報を含む。この文字情報は、例えば、広告情報であり、広告を提供するサーバ装置２００ｃから提供される。サーバ装置２００ｃは、広告情報が表示された回数に応じて課金処理を行う。どのような生体情報が悪化したときにどのような広告情報が表示されるかは、例えば、所定のアルゴリズムに基づいてサーバ装置２００ｃが決定する。なお、ユーザによって「購入」の部分がタップ操作されれば、この商品を購入するためのＷｅｂサイトが表示部４４に表示される。
【００７０】
なお、広告情報は、商品を対象としたものに限定されず、サービスを対象としたものであってもよい。例えば、広告情報は、生体情報の改善のために運動施設（トレーニングジム）の利用を勧めるものであってもよい。
【００７１】
また、第二表示画面は、ユーザに生活習慣に関するアドバイスを行うための改善を促す画像であってもよい。図１４は、このような第二表示画面の別の一例を示す図である。
【００７２】
図１４の第二表示画面は、健康でないと判定される根拠となった生体情報の改善するための、生活習慣に関するアドバイス情報（文字情報）を含む。生活習慣に関するアドバイス情報は、具体的には、運動に関するアドバイス、または、食事に関するアドバイスなどである。どのような生体情報の数値が悪化したときにどのようなアドバイス情報が表示されるかは、例えば、所定のアルゴリズムに基づいて制御部１０１が決定する。表示の候補となるアドバイス情報は、例えば、記憶部１０２にあらかじめ記憶される。
【００７３】
以上のようなミラー装置４０を用いた提示制御によれば、水廻りユニット１０は、ユーザに生体情報の計測結果を提示することができる。また、水廻りユニット１０は、ユーザの健康状態が良くないと判定された場合には、医療機関の受診、商品の購入、サービスの提供を受けること、及び、生活習慣の是正を提案することができる。
【００７４】
また、センサ９０として、脈波センサ９１、体重センサ９２、及び、体脂肪センサ９３の３種類のセンサが設置されているため、互いに異なる複数種類の生体情報のそれぞれが日々記憶部１０２に蓄積される。このような場合、表示部４４の表示画面を画面遷移させることにより、複数種類の生体情報を個別に表示することが可能となる。
【００７５】
以上、ミラー装置４０を用いて画像の表示に基づく提示を行う例について説明したが、このような提示は、ミラー装置４０以外の他の表示装置によって行われてもよい。例えば、画像の表示に基づく提示は、シャワールーム７０またはメイン空間６１に表示装置が設置されるような場合、この表示装置を用いて行われてもよい。
【００７６】
［提示制御の連動］
なお、上記実施の形態では、ミラー装置４０を用いた提示制御は、所定の操作に基づいて開始されたが、構造パネル８０を用いた提示制御と同様に、人感センサ１１０の検知結果に基づいて開始されてもよい。つまり、人感センサ１１０によって人が検知されると、ミラー装置４０を用いた提示制御、及び、構造パネル８０を用いた提示制御の両方が開始されてもよい。
【００７７】
また、構造パネル８０を用いた提示制御においてユーザが健康でないと判定され、構造パネル８０が第二発光態様で発光したときにのみ、ミラー装置４０を用いた提示制御が自動的に開始されてもよい。つまり、ミラー装置４０を用いた提示制御、及び、構造パネル８０を用いた提示制御が連動してもよい。
【００７８】
この場合、構造パネル８０を用いた提示制御においてユーザが健康であると判定され、構造パネル８０が第一発光態様で発光したときには、所定の操作が行われない限りミラー装置４０を用いた提示制御は開始されず、表示部４４はスリープ状態（透明）のままとなる。このように健康状態が悪化していると判定され、ユーザが詳細な情報を知りたいときにのみ選択的にミラー装置４０を用いた提示制御が開始されることで、ユーザへの効果的な情報提示が実現される。
【００７９】
［変形例］
上記実施の形態において、第二表示画面は、商品の購入を提案するための画像、サービスの提供を受けることを提案するための画像、計測された生体情報を示す画像、及び、生活習慣に関するアドバイスを行うための画像のうち任意の２つ以上の画像を含んでもよい。また、上記実施の形態では、第一表示画面には、商品の購入を提案するための画像、サービスの提供を受けることを提案するための画像、及び、生活習慣に関するアドバイスを行うための画像が含まれなかったが、第一表示画面は、これらの画像を１つまたは複数含んでもよい。
【００８０】
また、上記実施の形態では、構造パネルの発光態様は、ユーザが健康であるか否かの判定に基づいて２段階で変化したが、発光態様の変化は、複数の閾値と計測された生体情報との比較により３段階以上に細かく行われてもよい。例えば、構造パネルの発光態様は、生体情報が健康と考えられる数値から離れるほど構造パネルが発する光の色温度が高くなる（あるいは低くなる）ように連続的に変化してもよい。
【００８１】
また、上記実施の形態では、ミラー装置は、ユーザが健康でないと判定されたときに各種画像を表示したが、ユーザが健康であると判定されたときに各種画像を表示してもよい。各種画像とは、商品の購入を提案するための画像、サービスの提供を受けることを提案するための画像、及び、生活習慣に関するアドバイスを行うための画像などである。
【００８２】
また、上記実施の形態の水廻りユニットは、さらに、水廻りユニットの外部に設けられたセンサから当該センサによって計測されたユーザの生体情報を取得し、取得した生体情報に基づく提示を行ってもよい。例えば、水廻りユニットは、水廻りユニットが設けられる建物の他の部屋（寝室など）に設けられたセンサから当該センサによって計測されたユーザの生体情報を取得し、取得した生体情報に基づく提示を行ってもよい。
【００８３】
［効果等］
以上説明したように、水廻りユニット１０は、便器２０と、洗面台３０と、シャワールーム７０と、便器２０、洗面台３０、及び、シャワールーム７０の少なくとも１つを使用するユーザの生体情報を計測するセンサ９０と、計測された生体情報に基づいてユーザへの提示を行う提示装置とを備える。
【００８４】
このような水廻りユニット１０は、ユーザの生体情報を管理することができる。また、水廻りユニット１０は、ユーザへ生体情報に基づく提示を行うことができる。つまり、水廻りユニット１０は、ユーザの健康状態を管理することができる。また、このようにセンサ９０があらかじめ組み込まれれば、後からセンサ９０を取り付ける場合よりもセンサ９０と他の装置（例えば、制御装置１００）との間の通信路を最適化することが容易であり、通信性能（言い換えれば通信品質）を向上することができる。
【００８５】
また、例えば、提示装置には、発光態様によりユーザへの提示を行う発光装置が含まれる。
【００８６】
このような水廻りユニット１０は、発光態様に基づく提示を行うことができる。
【００８７】
また、例えば、発光装置は、発光する構造パネル８０である。
【００８８】
このような水廻りユニット１０は、発光態様に基づく提示を構造パネル８０によって実現することができる。
【００８９】
また、例えば、水廻りユニット１０は、さらに、壁面収納庫５０を備える。構造パネル８０は、壁面収納庫５０の扉５１である。
【００９０】
このような水廻りユニット１０は、壁面収納庫５０の扉５１の発光態様に基づく提示を行うことができる。また、このように発光装置が他の機能を有する物品（つまり、壁面収納庫５０）の一部として実現されれば、一見すると発光装置が視認できないため、水廻りユニット１０の内部の外観を洗練されたものにすることができる。
【００９１】
また、例えば、提示装置には、画像の表示によりユーザへの提示を行う表示装置が含まれる。
【００９２】
このような水廻りユニット１０は、画像に基づく提示を行うことができる。
【００９３】
また、例えば、表示装置は、洗面台３０の鏡に画像を表示する。
【００９４】
このような水廻りユニット１０は、画像に基づく提示をミラー装置４０によって実現することができる。また、このように表示装置が他の機能を有する物品（つまり、鏡）の一部として実現されれば、一見すると表示装置が視認できないため、水廻りユニット１０の内部の外観を洗練されたものにすることができる。
【００９５】
また、例えば、表示装置は、計測された生体情報に基づいて、ユーザへ商品の購入を提案するための画像を表示する。
【００９６】
このような水廻りユニット１０は、ユーザの健康状態を改善するための商品の購入をユーザに提案することができる。
【００９７】
また、例えば、表示装置は、計測された生体情報に基づいて、ユーザへサービスの提供を受けることを提案するための画像を表示する。
【００９８】
このような水廻りユニット１０は、ユーザの健康状態を改善するためのサービスの提供を受けることをユーザに提案することができる。
【００９９】
また、例えば、表示装置は、計測された生体情報を示す画像を表示する。
【０１００】
このような水廻りユニット１０は、計測された生体情報そのものをユーザに提示することができる。
【０１０１】
また、例えば、表示装置は、計測された生体情報に基づいて、ユーザへの生活習慣に関するアドバイスを行うための画像を表示する。
【０１０２】
このような水廻りユニット１０は、ユーザに生活習慣に関するアドバイスを提供することができる。
【０１０３】
また、例えば、表示装置は、計測された生体情報に基づいて、医療機関を予約するための画像を表示する。
【０１０４】
このような水廻りユニット１０は、ユーザに医療機関の受診を提案することができる。
【０１０５】
また、例えば、提示装置には、発光態様によりユーザへの提示を行う発光装置と、画像の表示によりユーザへの提示を行う表示装置とが含まれ、発光装置及び表示装置は連動する。
【０１０６】
このような水廻りユニット１０は、発光態様に基づく提示と画像に基づく提示とを連動させることができる。
【０１０７】
また、例えば、発光装置は、発光する構造パネル８０であり、表示装置は、洗面台３０の鏡に画像を表示し、構造パネル８０、及び、洗面台３０の鏡は対向配置される。
【０１０８】
このような水廻りユニット１０は、構造パネル８０及び洗面台３０の鏡の間に位置するユーザに対して、発光態様に基づく提示と画像に基づく提示とを連続的に行うことができる。
【０１０９】
また、例えば、水廻りユニット１０は、さらに、サーバ装置２００に生体情報を送信するための通信部１０３を備える。
【０１１０】
このような水廻りユニット１０は、サーバ装置２００の使用者に生体情報を提供することができる。
【０１１１】
（その他の実施の形態）
以上、実施の形態について説明したが、本発明は、上記実施の形態に限定されるものではない。
【０１１２】
例えば、上記実施の形態において、特定の処理部が実行する処理を別の処理部が実行してもよい。また、複数の処理の順序が変更されてもよいし、複数の処理が並行して実行されてもよい。
【０１１３】
また、上記実施の形態において、制御部などの各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１４】
また、制御部などの各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１５】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１１６】
例えば、本発明は、上記実施の形態の構造パネルまたはミラー装置として実現されてもよい。また、水廻りユニットが備える制御装置が実行すると説明された処理の一部は、水廻りユニットと連携するサーバ装置によって実行されてもよく、この場合、本発明は、水廻りユニット及びサーバ装置によって構成されるシステムとして実現されてもよい。また、本発明は、上記実施の形態の水廻りユニットと、水廻りユニットが設けられた建物本体とを備える建物として実現されてもよい。また、本発明は、上記実施の形態の水廻りユニットなどのコンピュータによって行われる情報の提示方法として実現されてもよいし、情報の提示方法をコンピュータに実行させるためのプログラムとして実現されてもよい。また、本発明は、このようなプログラムが記録されたコンピュータ読み取り可能な非一時的な記録媒体として実現されてもよい。
【０１１７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１８】
１０  水廻りユニット
２０  便器
３０  洗面台
４０  ミラー装置（表示装置）
５０  壁面収納庫
５１  扉
７０  シャワールーム
８０  構造パネル
９０  センサ
９１  脈波センサ
９２  体重センサ
９３  体脂肪センサ
１０３  通信部
２００、２００ａ、２００ｂ、２００ｃ  サーバ装置
【図１】
2020189018.tif 000003
【図２】
2020189018.tif 000004
【図３】
2020189018.tif 000005
【図４】
2020189018.tif 000006
【図５】
2020189018.tif 000007
【図６】
2020189018.tif 000008
【図７】
2020189018.tif 000009
【図８】
2020189018.tif 000010
【図９】
2020189018.tif 000011
【図１０】
2020189018.tif 000012
【図１１】
2020189018.tif 000013
【図１２】
2020189018.tif 000014
【図１３】
2020189018.tif 000015
【図１４】
2020189018.tif 000016
【国際調査報告】
2020189018.tif 000017
2020189018.tif 000018
2020189018.tif 000019
2020189018.tif 000020
2020189018.tif 000021